【事件の表示】
　特許第２７０４３９３号「水田作業車における作業機着脱装置」の特許に対する特許異議の申立てについて、次のとおり決定する。
【結論】
訂正を認める。
　特許第２７０４３９３号の特許を維持する。
【理由】
１．手続の経緯
　本件特許第２７０４３９３号は、平成１年３月１０日に出願された特願平１−５８６９０号の一部を特許法第４４条第１項の規定により、特願平８−５１８９８号として特許出願されたものであって、平成９年１０月９日に設定登録がされ、その後、特許異議の申立てが、株式会社共立（以下、申立人１という。）、井関農機株式会社（以下、申立人２という。）よりなされ、当審において取消理由通知がされ、その指定期間内に意見書の提出と共に訂正請求がなされものである。
２．訂正の適否のついての判断
　ア．訂正の内容
　本件訂正の趣旨は、本件特許の明細書を平成１１年５月３１日付け訂正請求書に添付した訂正明細書のとおり次のように訂正しようとするものである。
（１）特許請求の範囲の請求項１を次のように訂正する。
「前輪と後輪を有する四輪型の本機後部に平行リンクを介して作業機を昇降自在に装着してなる水田作業車において、前記平行リンクの後端に設けたピツチ部に、植付部と、本機側のＰＴＯ軸に駆動軸を介して連動連結された動力噴霧機および薬剤タンクを有する防除機を択一的に着脱自在に装着すると共に、前記動力噴霧機はピッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ピッチ部の上方から前方に配置したことを特徴とする水田作業車における作業機着脱装置。」
（２）明細書の段落番号【０００４】の記載を次のように訂正する。
「【課題を解決するための手段】
　そこで本発明は、次のように構成したことによって、上記の課題を解決したものである。
　即ち、前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に装着すると共に、前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置したことを特徴とするものである。」
（３）明細書の段落番号【０００６】の記載を次のように訂正する。
「また、本機側ヒッチ８内にはピン挿入溝８ｄの近傍に位置して枢支ピン１２を中心にして上下に回動するロック用のフック１３が設けられ、該フック１３はワイヤ１４を介し運転席で手元操作できるようになっている。一方、作業機側ヒッチ９は本機側ヒッチ８よりも巾広のコ字形状で本機側ヒッチ８と同様前方側が開放されると共にピン１５，１６が上下に横架されていて、上記手元操作によりヒッチ部Ｈはワンタッチで着脱し得るようになっている。そして、作業機側ヒッチ９には防除機Ｓが一体的に連結されている。即ち、作業機側ヒッチ９の背面側には本機側のＰＴＯ軸に駆動軸１７ａを介して運動連結された動力噴霧機１７が機枠１８内に固定され、動力噴霧機１７の上方には枠体１９が略前半部を平行リンク７上に臨ませた状態で作業機側ヒッチ９と機枠１８に一体的に固着され、該枠体１９内には攪拌機２０ａ付き薬剤タンク２０が本機側に接近させて配置され、緊締バンド２１により着脱自在に固定されている。そして薬剤タンク２０の底部は、図１から明らかなように、動力噴霧機１７の上方からヒッチ部Ｈを経て平行リンク７の上方にまで至るよう構成されている。２２は枠体１９の前端部に折畳み自在に付設された補助ステップ、２３は吸引パイプ、２４は吐出パイプで、吐出パイプ２４は攪拌機２０ａ及びパイプ２５を介して後述の噴管２６に連通されている。」
（４）明細書の段落番号【００１４】の記載を次のとおり訂正する。
「【発明の効果】
　上記したように本発明は、前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に装着すると共に、前記動力噴霧器はヒッチ部の背面側の木枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置したことにより、乗用田植機等既存の水田作業車で消毒・防除作業を行うことができ水田作業車の利用率を大幅に高めることができると共に、水田作業車の機能・特性を有効に活用して畦間作物の消毒・防除を行うことができるので、野菜畑等畦間が挟くトラクタが入り込めない圃場であっても容易に作業を行うことができる。しかも、防除機の薬剤タンクの一部を前記ヒッチ部の上方から前方に配置することにより本機側に接近させたので、タンク重心が本機側に近くなり、平行リンクに掛かる荷重を少くして該平行リンクの強度や揚力を上げなくても、即ち乗用田植機等水田作業車の本機を改良しなくても、充分に薬剤タンクとともに防除機を昇降させることができ、かつタンク容量を大きく設定することができるので、タンクに対する薬剤供給の回数を少なくし得て作業能率の向上を図ることができると共に、機体の前後バランスを良好に保持できる。」
　イ．訂正の目的の適否、新規事項の有無及び拡張、変更の存否
　上記訂正（１）において、「薬剤タンクを有する防除機」の構成を具体化して『本機側のＰＴＯ軸に駆動軸を介して連動連結された動力噴霧機および薬剤タンクを有する防除機』と訂正し、「動力噴霧機」の設置個所を具体化して「前記動力噴霧機はヒツチ部の背面側の機枠内に固定され』と訂正し、「薬剤タンク」の構成を具体化して『薬剤タンクは、タンク底部が動力噴霧機の上方からヒッチ部を経て平行リンク上方にまで至るようにし』と訂正し、「薬剤タンク」を固定するための部材を、枠体とし、その枠体を『該薬剤タンクを固定するための枠体は、平行リンク上に略前半部を臨ませた状態で動力噴霧機の上方に設けて』と訂正することは、特許請求の範囲の減縮を目的とする。
　上記訂正（２）〜（４）は、前記のように特許請求の範囲が訂正されたことに伴い、特許請求の範囲の記載と発明の詳細な説明の記載とを整合させる、明りようでない記載の釈明を目的とする。
　また、上記訂正（１）〜（４）は、明細書又は図面に記載された事項の範囲内においてなされたものであるから、新規事項の追加に該当せず、また、実質上特許請求の範囲を拡張し変更するものでもない。
　ウ．独立特許要件
　（取消理由通知の概要）
　取消理由通知の概要は、本件発明が、その出願の目前の他の特許出願であり、本件出願時の出願人とは非同一であって、本件出願後に出願公開された下記出願１の願書に最初に添付した明細書又は図面に記載された発明であり、また、本件発明が、本件出願前に頒布された下記刊行物２〜４記載の発明に基づいて当業者が容易に発明をすることがきたものであるから、本件特許は、特許法第２９条の２第１項、同法第２９条第２項の規定に違反してなされたというものである。
記
１．特願平１−２２４５０号（特開平２−２０３７０７号）の願書に最初に添付した明細書又は図面（申立人２の提出した甲第１号証参照）
２．実願昭５４−１３８２５４号（実開昭５６−５５３０２号）のマイクロフィルム（申立人２の提出した甲第２号証の２参照）
３．実願昭５６−７０６８１号（実開昭５７−１８４７６９号）のマイクロフィルム（申立人２の提出した甲第３号証の２参照）
４．実願昭５９−４１４８５号（実開昭６０−１５１５７３号）のマイクロフィルム（申立人１の提出した甲第４号証参照）
　上記出願１の願書に最初に添付した明細書又は図面（以下、先願明細書という。）には、「前輪（前輸２）と後輪（後輪３）を有する四輪型の本機（走行車体１）後部にリンク（昇降リンク４）を介して作業機を昇降自在に装着してなる水田作業車において、前記リンクの後端に設けたヒッチ部に、植付部と、タンク（第１のホッパ７、第２のホッパ１４）を有する防除機（散布装置５）を択一的に着脱自在に装着する少なくとも防除機のタンク（第１のホッパー７）の一部を前記ヒッチ部の上方から前方に配置した水田作業車における作業機着脱装置」が記載されている。
　上記刊行物２には、「前輸と後輪を有する四輪型の本機（本機１）後部に平行リンク（平行四連リンク機構３）を介して作業機（作業装置２）を昇降自在に装着してなる水田作業車において、前記平行リンクの後端に設けたヒッチ部（筒部材８Ａ・８Ｂ，連結杆６、ブラケット２Ｂ）に、植付部と、他の作業機を択一的に着脱自在に装着する水田作業車における作業機着脱装置」が記載されている。
　上記刊行物３には、「前輸と後輪を有する四輪型の本機後部にリンクを介して作業機を昇降自在に装着してなる農用作業車において、前記リンクの後端に設けたヒッチ部（メインフレーム２）に、薬剤タンク（タンク装置１）を有する防除機（ブームスプレーヤ装置）を着脱自在に装着すると共に、防除機の薬剤タンクを前記ヒッチ部の上方から前方に配置した農用作業車」が記載されている。
　上記刊行物４には、「前輪と後輪を有する四輪型の本機後部にリンク（１８，２４，２１）を介して作業機を昇降自在に装着してなる農用作業車において、前記リンクの後端に設けた機枠（支持フレーム２）に、本機側のＰＴＯ軸（２７）に駆動軸（２９）を介して連動連結された動力噴霧機（噴霧ポンプ７）および薬剤タンク（スプレアータンク１）を有する防除機を装着すると共に、前記薬剤タンクは、機枠上の支持台４に支架した支持杆５に前後揺動自在に支持され、タンク側面が動力噴霧機の上方からリンク上方にまで至るようにし、防除機の薬剤タンクの一部を機枠の上方から前方に配置した農用作業車」が記載されている。
（第２９条の２について）
　訂正明細書の請求項１に係る発明と先願明細書に記載された発明（以下、先願発明という。）とを対比すると、少なくとも、訂正明細書の請求項１に係る発明が、（ａ）「前記動力噴霧機はヒツチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置した」のに対して、先願発明はこのような構成を有しない点で相違する。　そして、上記相違点は、上記刊行物２、特開昭６２−７９７０３号公報（申立人２の提出した下記参考資料１）、実開昭５７−６９５０３号公報（申立人２の提出した下記参考資料２）、実開昭５７−６９５０４号公報（申立人２の提出した参考資料３）等にも記載されておらず、周知慣用のこととも認められない。
　したがって、訂正明細書の請求項１に係る発明は、先願発明と同一であるとは認められず、本件特許は、特許法第２９条の２第１項の規定に違反してなされたものということはできない。
（第２９条第２項について）
　訂正明細書の請求項１に係る発明と上記刊行物２記載の発明とを対比すると、少なくとも、訂正明細書の請求項１に係る発明が、（ａ）「前記動力噴霧機はヒッチ部の背面側の機枠内に固定され、薬剤タンクは、タンク底部が動力噴霧機の上方からヒツチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置した」のに対して、刊行物２記載の発明は、このような構成を有しない点で相違する。
　上記相違点を検討するために、刊行物３を検討すると、刊行物３記載の発明の薬剤タンク（タンク装置１）は、ヒッチ部（メインフレーム２）前方のリンクの上方にタンク底部が配置されたもので、訂正明細書の請求項１に係る発明のように、薬剤タンク（タンク装置１）を動力噴霧機の上方からヒッチ部を経て平行リンク上方に至るようにしたものではなく、また、刊行物３記載の発明の薬剤タンクを支持する枠体は、ヒッチ部（メインフレーム２）から前方に単純に突出したもので、訂正明細書の請求項１に係る発明のように、薬剤タンクを固定するための枠体を平行リンク上に略前半部を臨ませた状態で設けたものではない。
　また、上記相違点を検討するために、刊行物４を検討すると、刊行物４記載の発明の薬剤タンク（スプレヤータンク１）は、薬剤タンク底面が動力噴霧機（噴霧ポンプ７）の上方からヒッチ部後方に至るまでのもので、しかも、支持台４に支架した支持杆５に前後揺動自在に支持したもので、訂正明細書の請求項１に係る発明のように、薬剤タンクを、動力噴霧機の上方からヒッチ部を経て平行リンク上方にまで至る枠体によって安定支持したものではない。
訂正明細書の請求項１に係る発明は、上記相違点により、（ｂ）「動力噴霧機はヒッチ部背面側の機枠で保護された配置ができ、また薬剤タンクは、タンク底部が動力噴霧機上方からピッチ部上方を経て平行リンクにまで至るものになって大型にできながら、動力噴霧機は、ヒッチ部の背面空間、そして薬剤タンクは、動力噴霧機、ヒッチ部、そして平行リンクの上方空間を利用したコンパクト配置ができ、しかもこの薬剤タンクが、平行リンク上に略前半部を臨ませた状態で動力噴霧機の上方に設けた枠体に固定される結果、薬剤タンクを大型にできながら、該薬剤タンクの強固な支持構造を確保できる。」（意見書第３頁下８〜１行）という格別の効果を奏する。
　したがって、上記刊行物３，４記載の発明を、上記刊行物２記載の発明に適用しても、訂正明細書の請求項１に係る発明にはなりえず、本件特許は特許法第２９条第２項の規定に違反してなされたものとすることはできない。
　エ．むすび
　以上のとおりであるから、訂正明細書の請求項１に係る発明は、本件特許出願の際独立して特許を受けることができるものであり、本件訂正請求は、特許法等の一部を改正する法律（平成６年法律第１１６号）附則第６条第１項の規定によりなお従前の例によるとされる、特許法１２０条の４第２項、同条第３項で準用する第１２６条第２〜４項の規定に適合するので、当該訂正は認める。
３．本件発明
　訂正後の本件特許明細書の特許請求の範囲の請求項１に記載された発明（以下、本件発明という。）は、訂正明細書の特許請求の範囲の請求項１に記載された次の事項により特定されるとおりのものである。
「前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に装着すると共に、前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置したことを特徴とする水田作業車における作業機着脱装置。」
４．特許異議の申立てについて
（４−１）申立人１の申立てについて
　申立人１の申立ての概要は、本件発明が、本件出願前に頒布された下記甲第１〜４号証記載の発明に基づいて容易に発明をすることができたものであるから、本件特許は特許法第２９条第２項の規定に違反してなされたというものである。
記
甲第１号証：特開昭５４−６６２１５号公報
甲第２号証：実公昭５９−２１８９２号公報
甲第３号証：実公昭６３−３８９４９号公報
甲第４号証：実開昭６０−１５１５７３号公報
　甲第１号証には、「前輪と後輪を有する四輪型の本機後部に平行リンク（リフト装置１５）を介して作業機を昇降自在に装着してなる水田作業車において、前記平行リンクの後端に設けたヒッチ部に、植付部と、他の作業機を着脱自在に装着すると共に、肥料タンク２２が植付部の上方に配置された水田作業車における作業機着脱装置。」が記載されている。
　甲第２号証には、「前輪と後輪を有する四輪型の本機（機体１）後部に平行リンクを介して作業機を昇降自在に装着してなる農用作業車において、前記平行リンクの後端に設けたヒッチ部（マスト１３）に、ロータリー機１０を装着すると共に、タンク（ホッパー１８）は、本機（機体１）の後端に取り付けた斜めの支柱１５、ツールバー１６、取付金具２１、繰出箱１７を介して取付け、平行リンク上方にまで至るようにし、タンクの一部を前記ヒッチ部の上方から前方に配置した農用作業車」が記載されている。
　甲第３号証には、「スプレーヤの機体の座席後方に載設される薬液タンクであって、この薬液タンクの両側上縁部に前後方向の切欠部が形成され、両側壁が前方に向かって先細りで傾斜しているスプレーヤの薬液タンク」が記載されている。
　甲第４号証には、上記刊行物４に記載されたとおりの発明が記載されている。
　本件発明と上記甲第１〜４号証記載の発明とを対比すると、上記甲第１〜４号証記載の発明には、いずれにも、本件発明の構成要件である（ａ）「前記動力噴霧機はヒツチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置した」構成について、記載されていない。本件発明は、構成（ａ）により、（ｂ）「動力噴霧機はヒッチ部背面側の機枠で保護された配置ができ、また薬剤タンクは、タンク底部が動力噴霧機上方からヒッチ部上方を経て平行リンクにまで至るものになって大型にできながら、動力噴霧機は、ヒッチ部の背面空間、そして薬剤タンクは、動力噴霧機、ヒッチ部、そして平行リンクの上方空間を利用したコンパクト配置ができ、しかもこの薬剤タンクが、平行リンク上に略前半部を臨ませた状態で動力噴霧機の上方に設けた枠体に固定される結果、薬剤タンクを大型にできながら、該薬剤タンクの強固な支持構造を確保できる。」（意見書第３頁下８〜１行）という格別の効果を奏する。
　したがって、本件発明が甲第１〜４号証記載の発明に基づいて容易に発明をすることができたものということはできず、本件特許は特許法第２９条第２項の規定に違反してなされたということはできない。
（４−２）申立人２の申立てについて
　申立人２の申立ての概要は、本件発明が、その出願の日前の他の特許出願であり、本件出願時の出願人とは非同一であって、本件出願後に出願公開されたものの願書に最初に添付した明細書又は図面（下記甲第１号証参照）に記載された発明と同一であり、また、本件発明は、本件出願前に頒布された刊行物である甲第２、３号証に記載された発明に基づいて容易に発明をすることができたものであるから、本件特許は、特許法第２９条の２第１項、同法第２９条第２項の規定に違反してなされたというものである。
記
甲第１号証：特開平２−２０３７０７号公報
甲第２号証の１：実開昭５６−５５３０２号公報
甲第２号証の２：実願昭５４−１３８２５４号（実開昭５６−５５３０２号公報）のマイクロフィルム
甲第３号証の１：実開昭５７−１８４７６９号公報
甲第３号証の２：実願昭５６−７０６８１号（実開昭５７−１８４７６９号公報）のマイクロフィルム
参考資料１：特開昭６２−７９７０３号公報
参考資料２：実開昭５７−６９５０３号公報
参考資料３：実開昭５７−６９５０４号公報
参考資料４：実開昭５４−７６１１６号公報
参考資料５：実開昭５４−７３２１４号公報
参考資料６：実開昭５４−７６１１７号公報
　甲第１号証には、上記刊行物１記載のとおりの発明が記載されている。
　甲第２号証（甲第２号証の１、甲第２号証の２）には、上記刊行物２記載のとおりの発明が記載されている。
　甲第３号証（甲第３号証の１、甲第３号証の２）には、上記刊行物３記載のとおりの発明が記載されている。
　参考資料１〜３には、本機にリンクを介して植付部を装着する水田作業車において、リンクを平行リンクとすることが記載されている。
　参考資料４〜６には、農用トラクタにおいて、植付部をアタッチメントにより装着することが記載されている。
（第２９条の２について）
　本件発明は、上記「ウ．独立特許要件」の「（第２９条の２について）」の項において検討したとおり先願発明（甲第１号証参照）と同一であるとは認められず、本件特許は、特許法第２９条の２第１項の規定に違反してなされたものということはできない。
（第２９条第２項について）
　本件発明は、上記「ウ．独立特許要件」の「（第２９条２項）」の項において検討した事項、参考資料１〜３に記載されているように「本機にリンクを介して植付部を装着する水田作業車において、リンクを平行リンクとすること」が周知である事項、及び、参考資料４〜６に記載されているように「農用トラクタにおいて、植付部をアタッチメントにより装着すること」が周知である事項を考慮しても、本件発明の構成要件である（ａ）「前記動力噴霧機はヒツチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置した」ことは導き出せず、この構成により、（ｂ）「動力噴霧機はヒッチ部背面側の機枠で保護された配置ができ、また薬剤タンクは、タンク底部が動力噴霧機上方からヒッチ部上方を経て平行リンクにまで至るものになって大型にできながら、動力噴霧機は、ヒッチ部の背面空間、そして薬剤タンクは、動力噴霧機、ヒッチ部、そして平行リンクの上方空間を利用したコンパクト配置ができ、しかもこの薬剤タンクが、平行リンク上に略前半部を臨ませた状態で動力噴霧機の上方に設けた枠体に固定される結果、薬剤タンクを大型にできながら、該薬剤タンクの強固な支持構造を確保できる。」（意見書第３頁下８〜１行）という格別の効果を奏する。
　したがって、本件発明は、甲第２号証、甲第３号証、参考資料１〜６記載の発明に基づいて容易に発明をすることができたものとはいえず、本件特許は、特許法第２９条第２項の規定に違反してなされたものということはできない。
５．むすび
　以上のことから、申立人の申し立ての理由及び提出した証拠方法によっては、本件特許を取り消すことができない。
　また、他に本件特許を取り消すべき理由を発見しない。
　よって、結論のとおり決定する。
【異議決定日】
平成１１年９月１６日（１９９９．９．１６）
【訂正の要旨】
　特許第２７０４３９３号発明の明細書を、平成１１年５月３１日付け訂正請求書に添付した訂正明細書のとおり訂正する。
（１）特許請求の範囲の減縮を目的として、特許請求の範囲の請求項１を次の通り訂正する。「前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に装着すると共に、前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置したことを特徴とする水田作業車における作業機着脱装置。」
（２）特許請求の範囲の記載と発明の詳細な説明の記載との整合を図るため、明りょうでない記載の釈明を目的として、明細書の段落番号【０００４】を次の通り訂正する。
「【課題を解決するための手段】
　そこで本発明は、次のように構成したことによって、上記の課題を解決したものである。
　即ち、前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に装着すると共に、前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、防除機の薬剤タンクの一部を前記ヒッチ部の上方から前方に配置したことを特徴とするものである。」
（３）特許請求の範囲の記載と発明の詳細な説明の記載との整合を図るため、明りょうでない記載の釈明を目的として、明細書の段落番号【０００６】を次の通り訂正する。
「また、本機側ヒッチ８内にはピン挿入溝８ｄの近傍に位置して枢支ピン１２を中心にして上下に回動するロック用のフック１３が設けられ、該フック１３はワイヤ１４を介し運転席で手元操作できるようになっている。一方、作業機側ヒッチ９は本機側ヒッチ８よりも巾広のコ字形状で本機側ヒッチ８と同様前方側が開放されると共にピン１５，１６が上下に横架されていて、上記手元操作によりヒッチ部Ｈはワンタッチで着脱し得るようになっている。そして、作業機側ヒッチ９には防除機Ｓが一体的に連結されている。即ち、作業機側ヒッチ９の背面側には本機側のＰＴＯ軸に駆動軸１７ａを介して運動連結された動力噴霧機１７が機枠１８内に固定され、動力噴霧機１７の上方には枠体１９が略前半部を平行リンク７上に臨ませた状態で作業機側ヒッチ９と機枠１８に一体的に固着され、該枠体１９内には攪拌機２０ａ付き薬剤タンク２０が本機側に接近させて配置され、緊締バンド２１により着脱自在に固定されている。そして薬剤タンク２０の底部は、図１から明らかなように、動力噴霧機１７の上方からヒッチ部Ｈを経て平行リンク７の上方にまで至るよう構成されている。２２は枠体１９の前端部に折畳み自在に付設された補助ステップ、２３は吸引パイプ、２４は吐出パイプで、吐出パイプ２４は攪拌機２０ａ及びパイプ２５を介して後述の噴管２６に連通されている。」
（４）特許請求の範囲の記載と発明の詳細な説明の記載との整合を図るため、明りょうでない記載の釈明を目的として、明細書の段落番号【００１４】を次のとおり訂正する。
「【発明の効果】
　上記したように本発明は、前輪と後輪を有する四輪型の本機後部に平行リンクを介して作業機を昇降自在に装着してなる水田作業車において、前記平行リンクの後端に設けたヒッチ部に、植付部と、本機側のＰＴＯ軸に駆動軸を介して連動連結された動力噴霧機および薬剤タンクを有する防除機を択一的に着脱自在に誠着すると共に、前記動力噴霧機はヒツチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク主に略前半部を臨ませた状態で動力噴霧機の上方に設けて、防除機の薬剤タンクの一部を前記ヒッチ部の上方から前方に配置したことにより、乗用田植機等既存の水田作業車で消毒・防除作業を行うことができ水田作業車の利用率を大幅に高めることができると共に、水田作業車の機能・特性を有効に活用して畦間作物の消毒・防除を行うことができるので、野菜畑等畦間が挟くトラクタが入り込めない圃場であっても容易に作業を行うことができる。しかも、防除機の薬剤タンクの一部を前記ヒッチ部の上方から前方に配置することにより本機側に接近させたので、タンク重心が本機側に近くなり、平行リンクに掛かる荷重を少くして該平行リンクの強度や揚力を上げなくても、即ち乗用田植機等水田作業車の本機を改良しなくても、充分に薬剤タンクとともに防除機を昇降させることができ、かつタンク容量を大きく設定することができるので、タンクに対する薬剤供給の回数を少なくし得て作業能率の向上を図ることができると共に、機体の前後バランスを良好に保持できる。」
（５４）【発明の名称】
　水田作業車における作業機着脱装置
（５７）【特許請求の範囲】
　　【請求項１】　前輪と後輪を有する四輪型の本機後部に平行リンクを介して作業機を昇降自在に装着してなる水田作業車において、前記平行リンクの後端に設けたヒッチ部に、植付部と、
本機側のＰＴＯ軸に駆動軸を介して連動連結された動力噴霧機および
前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、
【発明の詳細な説明】
　　　【０００１】
　　【発明の属する技術分野】
　本発明は乗用田植機や湛水土中直播機等の水田作業車の本機に、植付部と防除機を択一的に着脱自在に装着して、適宜に苗の植付作業や畦間作物の消毒防除を行え得るようにした水田作業車における作業機着脱装置に関するものである。
　　　【０００２】
　　【従来の技術】
　自走式の防除機としてトラクタ牽引式のものや防除専用機が知られているが、乗用田植機や湛水土中直播機等の水田作業車の本機を利用した防除装置は提供されていない。
　　　【０００３】
　　【発明が解決しようとする課題】
　乗用田植機等従来の水田作業車は、走行機体（本機）に平行リンクを介して植付部等が着脱自在に且つ昇降自在に装着されており、水田での植付や播種作業を行うもので、いわば田植等の水田専用機であるため、高価な機械でありながら年間の稼働期間は田植（播種）時期のみに限定される非常に短いものであり、これが生産コストの低減化を因難にしている一因となっている。然して、乗用田植機等の水田作業車の本機に重量の重い薬剤タンクを有する防除機を連結して作物の防除作業を行うようにするには平行リンクの場力や強度等の点で問題があり、実用化を困難としていた。
　　　【０００４】
　　【課題を解決するための手段】
　そこで本発明は、次のように構成したことによって、上記の課題を解決したものである。
　即ち、前輪と後輪を有する四輪型の本機後部に平行リンクを介して作業機を昇降自在に装着してなる水田作業車において、前記平行リンクの後端に設けたヒッチ部に、植付部と、
本機側のＰＴＯ軸に駆動軸を介して連動連結された動力噴霧機および
前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、
　　　【０００５】
　　【発明の実施の形態】
　本発明の構成を図面に示された一実施例により説明する。１は前輪２及び後輪３を有し前部にエンジン４を搭載した四輪型の水田作業車（図示例では乗用田植機）の本機で、その後部にはトップリンク５及びロワリンク６からなる平行リンク７を介して植付部Ｍ（図３参照）が着脱自在に装着され、植付部Ｍはロワリンク６に連結された図示外の油圧リフトアームの回動により水平姿勢を保持したままの状態で上下動し得るようになっている。Ｒは油圧操作レバーで、１本のレバーＲで油圧バルブとＰＴＯクラッチの双方を同時に制御し得るようになっている。８は平行リンク７の遊端側（植付部Ｍ連結側）に設けた本機側ヒッチで、該本機側ヒッチ８に対し作業機側ヒッチ９が着脱自在に連結されている。この本機側ヒッチ８と作業機側ヒッチ９の構造は図４及び図５に例示されている。即ち、本機側ヒッチ８は上下のピン挿入孔８ａ，８ｂに貫装された連結ピン１０，１１を介してトップリンク５とロワリンク６の遊端側に連結されるもので、平面視においてコ字形状を呈し、後面側には上端隅角部に位置して樋状のピン受座８Ｃが一体に固着され、上下方向中途部に位置して横方向のピン挿入溝８ｄが形成されている。
　　　【０００６】
　また、本機側ヒッチ８内にはピン挿入溝８ｄの近傍に位置して枢支ピン１２を中心にして上下に回動するロック用のフック１３が設けられ、該フック１３はワイヤ１４を介し運転席で手元操作できるようになっている。一方、作業機側ヒッチ９は本機側ヒッチ８よりも巾広のコ字形状で本機側ヒッチ８と同様前方側が開放されると共にピン１５，１６が上下に横架されていて、上記手元操作によりヒッチ部Ｈはワンタッチで着脱し得るようになっている。そして、作業機側ヒッチ９には防除機Ｓが一体的に連結されている。即ち、作業機側ヒッチ９の背面側には本機側のＰＴＯ軸に駆動軸１７ａを介して連動連結された動力噴霧機１７が機枠１８内に固定され、動力噴霧機１７の上方には枠体１９が略前半部を平行リンク７上に臨ませた状態で作業機側ヒッチ９と機枠１８に一体的に固着され、該枠体１９内には攪拌機２０ａ付き薬剤タンク２０が本機側に接近させて配置され、緊締バンド２１により着脱自在に固定されている。
そして薬剤タンク２０の底部は、図１から明らかなように、動力噴霧機１７の上方からヒッチ部Ｈを経て平行リンク７の上方にまで至るよう構成されている。
　　　【０００７】
　ところで、上記攪拌機２０ａは図示しなかったが、薬剤の吐出圧で回転する羽根車と分流弁が内蔵され、羽根車の回転によりタンク２０内に貫装した攪拌羽根軸を強制回転し、タンク内の薬剤を攪拌するようになっている。このため動力噴霧機１７の吐出圧（吐出量）は予め高めに設定されており、余分な薬剤は戻しパイプ２７を経由してタンク２０内に還流させるようにしている。２８は枠体１９の後部に固定したボスで、該ボス２８には所定間隔を存して噴管２６を垂設した丸棒状のステー２９を回動可能に且つ両翼を折畳み自在に貫挿させてあり、運転席ａの一側に設けたレバー３０の操作でワイヤ３１を介しステー２９と一体のアーム２９ａを引き、噴管２６を上方に回動させるようにしている。噴管２６は障害物等へ当った際、破損・変形を防止すべく基端側をゴムホース等の可撓管２６ａを介して折曲自在に構成し、その外側をコイルスプリング２６ｂで巻き噴管２６を直管状に保持している。３２はホース、３３は噴口である。
　　　【０００８】
　さて、前輪２及び後輪３にはステー３４ａ，３５ａを介して分草ガイド３４，３５が設けられ、車輪による作物の巻込みを防止するようになっている。尚、図７及び図８に示すものは前輪２の前方にステー３６を介して平面視でＶ字形状のガイド板３７を設けたものである。
　　　【０００９】
　図９及び図１０に示すものは、薬剤タンク２０をヒッチ部Ｈ上方を覆う位置とヒッチ部Ｈ近傍から退避した位置とに切換可能に構成したものである。即ち、図９はタンク２０を前後スライド方式に構成したもので、作業機側ヒッチ９と機枠１８上前後方向に左右一対のレール３８を固着し、該レール３８に枠体１９’及びタンク２０を前後方向摺動可能に搭載し、本機１に対する防除機の着脱時には仮想線図示のようにタンク２０をレール３８に沿って後方に移動させ、防除作業時にはタンク２０を本機１に接近した実線図示の位置に戻し止め具３９で枠体１９’をレール３８上に固定するようにしている。図中、１８’は機枠１８に固設したスタンドである。
　　　【００１０】
　また、図１０はタンク２０を回動式に構成したもので、枠体１９’ａの後端部を支軸４０で機枠１８に枢結することにより、タンク２０を図示のように起倒し得るようになっている。尚、このものにおいては図示しなかったが、実線図示のセット位置を保持させるためピン或はフック等からなるロック装置が付設されている。
　　　【００１１】
　上記の構成において、苗の植付作業を行なう場合には図３に示すように乗用田植機の本機１側に植付部Ｍを装着した状態にて通常の植付作業を行なうことができる。そして、作物ｂの消毒・防除作業を行う場合には、乗用田植機の本機１側から植付部Ｍを取外し、防除機Ｓを連結する。この際、平行リンク７を下げた状態で本機１を接地状態の防除機Ｓ（噴管２６は上げておく）に向け後退させ、本機側ヒッチ８のピン受座８ｃに作業機側ヒッチ９の上部ピン１５を載せ、その状態で油圧・ＰＴＯクラッチレバーＲを操作して平行リンク７を上昇させれば作業機側ヒッチ９は防除機Ｓの自重により上部ピン９を中心にして下方に回動し、作業機側ヒッチ９の下部ピン１６が本機側ヒツチ８のピン挿入溝８ｄに挿入するのでフック１３を手元操作して本機側ヒッチ８と作業機側ヒッチ９をロックする。
　そして、レバー操作で防除機Ｓを所要噴霧高さに固定（油圧固定）し、タンク２０に散布すべき薬剤を入れた後、噴管２６を作物ｂの畦間に合せて回動セットし、ＰＴＯクラッチを入れて本機１を走行させればタンク２０内の薬剤は吸引パイプ２３、動力噴霧機１７、吐出パイプ２４、攪拌機２０ａ、パイプ２５を順次経由して噴管２６の噴口３３から作物ｂに散布される。条端での回行は噴管２６をワイヤ３１による手元操作で図１仮想線図示の水平状態に回動させて行う。
　　　【００１２】
　ところで、本発明の防除装置は、走行機体として機体重量が比較的軽く且つ接地面からの機体高さが高くしかも車輪（タイヤ）巾が挟い乗用田植機等の本機１を利用しているので、トラクタ等では入りにくい狭い畦巾の作業でも畦や野菜等を荒らすことなく身軽に乗り入れて防除作業等が行える。しかも、防除機Ｓの薬剤タンク２０の一部を前記ヒッチ部Ｈの上方から前方に配置することにより本機１側へ接近させてあるので、タンク重心が本機１側に近くなり、平行リンクに掛かる荷重が少なくなって平行リンクの強度や揚力を上げなくても、即ち乗用田植機等の水田作業車の本機を改良しなくても、充分に薬剤タンクと共に防除機を昇降できるものであり、また作業中における機体の前後バランスを良好にして安定した防除作業が行える。特に平行リンク７の強度や場力不足等の問題を解消しながらタンク容量を大きく設定でき、その分タンク２０に対する薬剤供給の回数が少なくて済み作業性が高められる。
　　　【００１３】
　また、薬剤タンク２０をヒッチ部Ｈ上方を覆う位置とヒッチ部Ｈ近傍から退避した位置とに切換可能に構成した場合には、防除機Ｓを接地させた状態で行う本機１への防除機Ｓ着脱時に、タンク２０をヒッチ部Ｈ近傍から退避させておくことにより、運転席ａ位置からヒッチ部Ｈを容易に視認できるので着脱作業を迅速且つ的確に行える。
　　　【００１４】
　　【発明の効果】
　上記したように本発明は、前輪と後輪を有する四輪型の本機後部に平行リンクを介して作業機を昇降自在に装着してなる水田作業車において、前記平行リンクの後端に設けたヒッチ部に、植付部と、
本機側のＰＴＯ軸に駆動軸を介して連動連結された動力噴霧機および
前記動力噴霧機はヒッチ部の背面側の機枠内に固定され、薬剤タンクは、タンク底部が動力噴霧機の上方からヒッチ部を経て平行リンク上方にまで至るようにし、該薬剤タンクを固定するための枠体は、平行リンク上に略前半部を臨ませた状態で動力噴霧機の上方に設けて、
【図面の簡単な説明】
　　【図１】
　乗用田植機の本機に防除機を連結した状態の全体側面図である。
　　【図２】
　同上背面図である。
　　【図３】
　乗用田植機の側面図である。
　　【図４】
　本機側ヒッチと作業機側ヒッチの構造を示す斜視図である。
　　【図５】
　本機側ヒッチと作業機側ヒッチの連結状態を示す断面図である。
　　【図６】
　本機の平面図である。
　　【図７】
　分草板を設けた本機に防除機を連結した状態の側面図である。
　　【図８】
　同上の本機側平面図である。
　　【図９】
　薬剤タンクを前後スライド方式にしてヒッチ部上方を覆う位置とヒッチ部近傍から退避した位置とに切換可能に構成した例の側面図である。
　　【図１０】
　薬剤タンクを回動式にしてヒッチ部上方を覆う位置とヒッチ部近傍から退避した位置とに切換可能に構成した側面図である。
　　【符号の説明】
　１　　水田作業車の本機
　７　　平行リンク
　８　　本機側ヒッチ
　９　　作業機側ヒッチ
１７　　動力噴霧機
２０　　薬剤タンク
　Ｈ　　ヒッチ部
　Ｍ　　植付部
　Ｓ　　防除機